(57)【要約】【課題】  一定の通話品質を確保できず０５０番号が割り当てられていないネットワークにおいても、固定電話機や携帯電話機からＩＰ電話端末に電話をかけることができるようにする。【解決手段】  中継装置１００は、品質保証側においてＩＰ電話番号の割り当てを受ける。製造番号管理装置６２０は、中継装置１００に割り当てられたＩＰ電話番号と、ＩＰ電話番号が割り当てられていない非品質保証側の無線ＩＰ電話機２１０の製造番号とを対応付けて記憶管理する。ここで、一般電話機５１０から無線ＩＰ電話機２１０の製造番号に対応付いたＩＰ電話番号にかけると中継装置１００に呼情報が送信される。中継装置１００は、製造番号管理装置６２０から一般電話機５１０がかけたＩＰ電話番号に対応する製造番号を取得し、製造番号に基づいて無線ＩＰ電話機２１０に呼情報を中継する。これにより呼が確立し、一般電話機５１０と無線ＩＰ電話機２１０とが通話できる。【選択図】        図１
2006270546.tif 000002
【特許請求の範囲】
【請求項１】
電話番号の割り当てられた中継装置であり、
前記中継装置に割り当てられた電話番号で発呼された呼を検出する呼検出部と、
電話番号の割り当てられていない第１の通信端末の識別情報と前記中継装置に割り当てられた電話番号とを対応付けて記憶する記憶装置と接続し、前記呼検出部が検出した呼で発呼された電話番号に対応付けて記憶された前記第１の通信端末の識別情報を前記記憶装置から取得する識別情報取得部と、
前記識別情報取得部が取得した識別情報に基づいて前記第１の通信端末を送信先として、前記呼検出部が検出した呼を中継する中継部と
を備えたことを特徴とする中継装置。
【請求項２】
前記識別情報取得部は、
電話番号の割り当てられていない第１の通信端末の識別情報と前記中継装置に割り当てられた電話番号とを対応付けて記憶すると共に前記第１の通信端末に対する呼確立の可否の状態と前記中継装置に割り当てられた電話番号に対する呼確立の可否の状態との少なくともいずれかの状態を記憶する記憶装置と接続し、前記呼検出部が検出した呼で発呼された電話番号に対する呼確立の可否の状態と前記呼検出部が検出した呼で発呼された電話番号に対応付けて識別情報が記憶された前記第１の通信端末に対する呼確立の可否の状態との少なくともいずれかの状態を前記記憶装置から取得し、
前記中継部は、
前記識別情報取得部が取得した状態の全てが呼確立が可能であることを示す場合に呼を中継する
ことを特徴とする請求項１記載の中継装置。
【請求項３】
前記識別情報取得部は、
電話番号の割り当てられていない複数の第１の通信端末それぞれの識別情報を前記中継装置に割り当てられた電話番号に対応付けて記憶する記憶装置と接続し、前記呼検出部が検出した呼で発呼された電話番号に対応付けて記憶された複数の前記第１の通信端末それぞれの識別情報を前記記憶装置から取得し、
前記中継部は、
前記識別情報取得部が取得したそれぞれの識別情報の少なくともいずれかに基づいて複数の前記第１の通信端末の少なくともいずれかを送信先として、前記呼検出部が検出した呼を中継する
ことを特徴とする請求項１記載の中継装置。
【請求項４】
前記中継装置は複数の電話番号が割り当てられ、
前記識別情報取得部は、
電話番号の割り当てられていない第１の通信端末の識別情報を前記中継装置に割り当てられた複数の電話番号に対応付けて記憶する記憶装置と接続し、前記呼検出部が検出した呼で発呼された電話番号に対応付けて記憶された前記第１の通信端末の識別情報を前記記憶装置から取得する
ことを特徴とする請求項１記載の中継装置。
【請求項５】
電話番号の割り当てられた中継装置の中継方法であり、
前記中継装置に割り当てられた電話番号で発呼された呼を検出し、
電話番号の割り当てられていない第１の通信端末の識別情報と前記中継装置に割り当てられた電話番号とを対応付けて記憶する記憶装置と接続し、検出した呼で発呼された電話番号に対応付けて記憶された前記第１の通信端末の識別情報を前記記憶装置から取得し、
取得した識別情報に基づいて前記第１の通信端末を送信先として、検出した呼を中継する
ことを特徴とする中継方法。
【請求項６】
電話番号の割り当てられた中継装置の中継方法であり、
前記中継装置に割り当てられた電話番号で発呼された呼を検出し、
電話番号の割り当てられていない第１の通信端末の識別情報と前記中継装置に割り当てられた電話番号とを対応付けて記憶すると共に前記第１の通信端末に対する呼確立の可否の状態と前記中継装置に割り当てられた電話番号に対する呼確立の可否の状態との少なくともいずれかの状態を記憶する記憶装置と接続し、検出した呼で発呼された電話番号に対する呼確立の可否の状態と検出した呼で発呼された電話番号に対応付けて識別情報が記憶された前記第１の通信端末に対する呼確立の可否の状態との少なくともいずれかの状態と、検出した呼で発呼された電話番号に対応付けて記憶された前記第１の通信端末の識別情報とを前記記憶装置から取得し、
取得した状態の全てが呼確立が可能であることを示す場合に、取得した識別情報に基づいて前記第１の通信端末を送信先として、検出した呼を中継する
ことを特徴とする中継方法。
【請求項７】
電話番号の割り当てられた中継装置の中継方法であり、
前記中継装置に割り当てられた電話番号で発呼された呼を検出し、
電話番号の割り当てられていない複数の第１の通信端末それぞれの識別情報を前記中継装置に割り当てられた電話番号に対応付けて記憶する記憶装置と接続し、検出した呼で発呼された電話番号に対応付けて記憶された複数の前記第１の通信端末それぞれの識別情報を前記記憶装置から取得し、
取得したそれぞれの識別情報の少なくともいずれかに基づいて複数の前記第１の通信端末の少なくともいずれかを送信先として、検出した呼を中継する
ことを特徴とする中継方法。
【請求項８】
複数の電話番号が割り当てられた中継装置の中継方法であり、
前記中継装置に割り当てられた電話番号で発呼された呼を検出し、
電話番号の割り当てられていない第１の通信端末の識別情報を前記中継装置に割り当てられた複数の電話番号に対応付けて記憶する記憶装置と接続し、検出した呼で発呼された電話番号に対応付けて記憶された前記第１の通信端末の識別情報を前記記憶装置から取得し、
取得した識別情報に基づいて前記第１の通信端末を送信先として、検出した呼を中継する
ことを特徴とする中継方法。
【請求項９】
請求項５〜請求項８いずれかに記載の中継方法をコンピュータに実行させる中継プログラム。
【発明の詳細な説明】
【技術分野】
【０００１】
本発明は、ＩＰ（Ｉｎｔｅｒｎｅｔ  Ｐｒｏｔｏｃｏｌ）電話において、一般電話機から呼をＩＰ電話番号を持たないＩＰ電話機に中継する中継装置、中継方法および中継プログラムに関するものである。
【背景技術】
【０００２】
インターネットを通信網とするＩＰ電話では、以前は、固定電話機や携帯電話機のような電話番号がなかったため、ＩＰ電話の端末同士でしか通話することができなかった。つまり、固定電話機や携帯電話機からＩＰ電話端末に電話をかけることはできなかった。
しかし、総務省がＩＰ電話事業者に０５０番号を割り当てたことで、ＩＰ電話事業者から０５０番号を割り当てられたＩＰ電話端末に固定電話機や携帯電話機から電話をかけることが可能になった。
また、ＩＰ電話事業者は、総務省から０５０番号の割り当てを受けるために、一定の基準でＩＰ電話の通話品質を確保する必要がある。
この通話品質の評価値は、ＴＴＣ（社団法人  情報通信技術委員会）の「ＩＰ電話の通話品質評価法」（ＪＪ−２０１．０１）に基づいて算出される。
【特許文献１】特許第３５１９６５３号公報
【発明の開示】
【発明が解決しようとする課題】
【０００３】
但し、一定の通話品質を確保できないネットワークにおいては、０５０番号が割り当てられないため、固定電話機や携帯電話機からＩＰ電話端末に電話をかけることはできないという課題がある。
【０００４】
本発明は、例えば、上記の課題を解決するためになされたもので、一定の通話品質を確保できず０５０番号が割り当てられていないネットワークにおいても、固定電話機や携帯電話機からＩＰ電話端末に電話をかけることができるようにすることを目的とする。
【課題を解決するための手段】
【０００５】
本発明の中継装置は、電話番号の割り当てられた中継装置であり、前記中継装置に割り当てられた電話番号で発呼された呼を検出する呼検出部と、電話番号の割り当てられていない第１の通信端末の識別情報と前記中継装置に割り当てられた電話番号とを対応付けて記憶する記憶装置と接続し、前記呼検出部が検出した呼で発呼された電話番号に対応付けて記憶された前記第１の通信端末の識別情報を前記記憶装置から取得する識別情報取得部と、前記識別情報取得部が取得した識別情報に基づいて前記第１の通信端末を送信先として、前記呼検出部が検出した呼を中継する中継部とを備えたことを特徴とする。
【０００６】
また、前記識別情報取得部は、電話番号の割り当てられていない第１の通信端末の識別情報と前記中継装置に割り当てられた電話番号とを対応付けて記憶すると共に前記第１の通信端末に対する呼確立の可否の状態と前記中継装置に割り当てられた電話番号に対する呼確立の可否の状態との少なくともいずれかの状態を記憶する記憶装置と接続し、前記呼検出部が検出した呼で発呼された電話番号に対する呼確立の可否の状態と前記呼検出部が検出した呼で発呼された電話番号に対応付けて識別情報が記憶された前記第１の通信端末に対する呼確立の可否の状態との少なくともいずれかの状態を前記記憶装置から取得し、前記中継部は、前記識別情報取得部が取得した状態の全てが呼確立が可能であることを示す場合に呼を中継することを特徴とする。
【０００７】
また、前記識別情報取得部は、電話番号の割り当てられていない複数の第１の通信端末それぞれの識別情報を前記中継装置に割り当てられた電話番号に対応付けて記憶する記憶装置と接続し、前記呼検出部が検出した呼で発呼された電話番号に対応付けて記憶された複数の前記第１の通信端末それぞれの識別情報を前記記憶装置から取得し、前記中継部は、前記識別情報取得部が取得したそれぞれの識別情報の少なくともいずれかに基づいて複数の前記第１の通信端末の少なくともいずれかを送信先として、前記呼検出部が検出した呼を中継することを特徴とする。
【０００８】
また本発明の中継装置は、複数の電話番号が割り当てられ、前記識別情報取得部は、電話番号の割り当てられていない第１の通信端末の識別情報を前記中継装置に割り当てられた複数の電話番号に対応付けて記憶する記憶装置と接続し、前記呼検出部が検出した呼で発呼された電話番号に対応付けて記憶された前記第１の通信端末の識別情報を前記記憶装置から取得することを特徴とする。
【０００９】
本発明の中継方法は、電話番号の割り当てられた中継装置の中継方法であり、前記中継装置に割り当てられた電話番号で発呼された呼を検出し、電話番号の割り当てられていない第１の通信端末の識別情報と前記中継装置に割り当てられた電話番号とを対応付けて記憶する記憶装置と接続し、検出した呼で発呼された電話番号に対応付けて記憶された前記第１の通信端末の識別情報を前記記憶装置から取得し、取得した識別情報に基づいて前記第１の通信端末を送信先として、検出した呼を中継することを特徴とする。
【００１０】
本発明の中継方法は、電話番号の割り当てられた中継装置の中継方法であり、前記中継装置に割り当てられた電話番号で発呼された呼を検出し、電話番号の割り当てられていない第１の通信端末の識別情報と前記中継装置に割り当てられた電話番号とを対応付けて記憶すると共に前記第１の通信端末に対する呼確立の可否の状態と前記中継装置に割り当てられた電話番号に対する呼確立の可否の状態との少なくともいずれかの状態を記憶する記憶装置と接続し、検出した呼で発呼された電話番号に対する呼確立の可否の状態と検出した呼で発呼された電話番号に対応付けて識別情報が記憶された前記第１の通信端末に対する呼確立の可否の状態との少なくともいずれかの状態と、検出した呼で発呼された電話番号に対応付けて記憶された前記第１の通信端末の識別情報とを前記記憶装置から取得し、取得した状態の全てが呼確立が可能であることを示す場合に、取得した識別情報に基づいて前記第１の通信端末を送信先として、検出した呼を中継することを特徴とする。
【００１１】
本発明の中継方法は、電話番号の割り当てられた中継装置の中継方法であり、前記中継装置に割り当てられた電話番号で発呼された呼を検出し、電話番号の割り当てられていない複数の第１の通信端末それぞれの識別情報を前記中継装置に割り当てられた電話番号に対応付けて記憶する記憶装置と接続し、検出した呼で発呼された電話番号に対応付けて記憶された複数の前記第１の通信端末それぞれの識別情報を前記記憶装置から取得し、取得したそれぞれの識別情報の少なくともいずれかに基づいて複数の前記第１の通信端末の少なくともいずれかを送信先として、検出した呼を中継することを特徴とする。
【００１２】
本発明の中継方法は、複数の電話番号が割り当てられた中継装置の中継方法であり、前記中継装置に割り当てられた電話番号で発呼された呼を検出し、電話番号の割り当てられていない第１の通信端末の識別情報を前記中継装置に割り当てられた複数の電話番号に対応付けて記憶する記憶装置と接続し、検出した呼で発呼された電話番号に対応付けて記憶された前記第１の通信端末の識別情報を前記記憶装置から取得し、取得した識別情報に基づいて前記第１の通信端末を送信先として、検出した呼を中継することを特徴とする。
【００１３】
本発明の中継プログラムは、電話番号の割り当てられた中継装置の中継方法であり、前記中継装置に割り当てられた電話番号で発呼された呼を検出し、電話番号の割り当てられていない第１の通信端末の識別情報と前記中継装置に割り当てられた電話番号とを対応付けて記憶する記憶装置と接続し、検出した呼で発呼された電話番号に対応付けて記憶された前記第１の通信端末の識別情報を前記記憶装置から取得し、取得した識別情報に基づいて前記第１の通信端末を送信先として、検出した呼を中継することをコンピュータに実行させる。
【００１４】
本発明の中継プログラムは、電話番号の割り当てられた中継装置の中継方法であり、前記中継装置に割り当てられた電話番号で発呼された呼を検出し、電話番号の割り当てられていない第１の通信端末の識別情報と前記中継装置に割り当てられた電話番号とを対応付けて記憶すると共に前記第１の通信端末に対する呼確立の可否の状態と前記中継装置に割り当てられた電話番号に対する呼確立の可否の状態との少なくともいずれかの状態を記憶する記憶装置と接続し、検出した呼で発呼された電話番号に対する呼確立の可否の状態と検出した呼で発呼された電話番号に対応付けて識別情報が記憶された前記第１の通信端末に対する呼確立の可否の状態との少なくともいずれかの状態と、検出した呼で発呼された電話番号に対応付けて記憶された前記第１の通信端末の識別情報とを前記記憶装置から取得し、取得した状態の全てが呼確立が可能であることを示す場合に、取得した識別情報に基づいて前記第１の通信端末を送信先として、検出した呼を中継することをコンピュータに実行させる。
【００１５】
本発明の中継プログラムは、電話番号の割り当てられた中継装置の中継方法であり、前記中継装置に割り当てられた電話番号で発呼された呼を検出し、電話番号の割り当てられていない複数の第１の通信端末それぞれの識別情報を前記中継装置に割り当てられた電話番号に対応付けて記憶する記憶装置と接続し、検出した呼で発呼された電話番号に対応付けて記憶された複数の前記第１の通信端末それぞれの識別情報を前記記憶装置から取得し、取得したそれぞれの識別情報の少なくともいずれかに基づいて複数の前記第１の通信端末の少なくともいずれかを送信先として、検出した呼を中継することをコンピュータに実行させる。
【００１６】
本発明の中継プログラムは、複数の電話番号が割り当てられた中継装置の中継方法であり、前記中継装置に割り当てられた電話番号で発呼された呼を検出し、電話番号の割り当てられていない第１の通信端末の識別情報を前記中継装置に割り当てられた複数の電話番号に対応付けて記憶する記憶装置と接続し、検出した呼で発呼された電話番号に対応付けて記憶された前記第１の通信端末の識別情報を前記記憶装置から取得し、取得した識別情報に基づいて前記第１の通信端末を送信先として、検出した呼を中継することをコンピュータに実行させる。
【発明の効果】
【００１７】
本発明によれば、例えば、一定の通話品質を確保できず０５０番号が割り当てられていないネットワークにおいても、通話品質を確保したネットワークにおいて割り当てられた０５０番号をＩＰ電話端末に対応付けることで、固定電話機や携帯電話機からＩＰ電話端末に電話をかけることができる。
【００１８】
また例えば、０５０番号やＩＰ電話端末の「通話中」などの状態を記憶管理することで、通話が可能な状態のＩＰ電話端末に対して呼を中継し確立することができる。
【発明を実施するための最良の形態】
【００１９】
実施の形態１．
ＩＰ（Ｉｎｔｅｒｎｅｔ  Ｐｒｏｔｏｃｏｌ）電話とは、音声データをＩＰパケットで通信することで通話を行う電話方式であり、この音声通信技術をＶｏＩＰ（Ｖｏｉｃｅ  ｏｖｅｒ  ＩＰ）という。
ここで、ＩＰパケットを通信データとする通信網をＩＰネットワークとする。インターネット、イントラネットはＩＰネットワークの一例である。また、ＩＰパケットを通信データとする通信をパケット通信とする。
【００２０】
以下、公衆回線網に接続する一般の電話機から電話番号が割り当てられていないＩＰ電話機に接続して通信（通話）するための呼中継方法、呼中継システムについて説明する。
説明において、公衆回線網に接続する電話機を一般電話機、ＩＰネットワークに接続してＩＰ電話方式により通話する電話機をＩＰ電話機とする。
また、一般電話機に割り当てられた電話番号を一般電話番号、ＩＰ電話機に割り当てられた電話番号（０５０で始まる番号）をＩＰ電話番号とする。
また、ＩＰ電話機にＩＰ電話番号が割り当てられた側のネットワークを品質保証側、ＩＰ電話機にＩＰ電話番号が割り当てられない側のネットワークを非品質保証側とする。
【００２１】
図１は、実施の形態１における呼中継システムの構成図である。
実施の形態１における呼中継システムの構成について図１に基づいて以下に説明する。
【００２２】
一般電話機がＩＰ電話方式を利用して通話する形態として、ＩＰ電話事業者に接続する方法がある。
一般電話機５１０は公衆回線網７２０に接続し、一般電話機５１０から電話がかけられると、交換機４４０がかけられた一般電話番号に対応する一般電話機に呼を接続する。
一般電話機５１０からＩＰ電話方式により電話する場合、一般電話機５１０からかけられたＩＰ電話番号が呼情報として公衆回線網７２０を経由し、ゲートウェイ４３０がＩＰネットワークに接続するＩＰ電話事業者サーバ４２０に呼情報を中継する。ＩＰ電話事業者サーバ４２０では、ＩＰ電話番号とＩＰアドレスとを対応付けて記憶管理する電話番号管理装置６１０からＩＰ電話番号に対応するＩＰアドレスを取得し、取得したＩＰアドレスを送信先として呼情報を電話先のＩＰ電話機に送信する。これにより一般電話機５１０とＩＰ電話機との間で呼を確立して通話を行う。
【００２３】
また、ＩＰ電話方式を利用して通話する形態として、ＩＰアダプタ４５０を利用する方法がある。
ＩＰアダプタ４５０は、ＩＰネットワークへの接続サービスを提供するプロバイダのプロバイダサーバ４１０に接続し、ＩＰ電話機５２０からかけられたＩＰ電話番号に対応するＩＰアドレスを取得し、取得したＩＰアドレスを送信先として呼情報を電話先のＩＰ電話機に送信する。これによりＩＰ電話機５２０と他のＩＰ電話機との間で呼を確立して通話を行う。ＩＰアダプタ４５０はＩＰ電話番号に対応するＩＰアドレスを、電話番号管理装置６１０から取得したり、ＩＰ電話番号とＩＰアドレスとを対応付けて記憶する記憶部を自ら備えてその記憶部から取得したりする。
【００２４】
非品質保証側では、ＩＰ電話機（無線ＩＰ電話機２１０、無線ＩＰ電話機２２０、無線ＩＰ電話機２３０、無線ＩＰ電話機２４０）にＩＰ電話番号が割り当てられていない。
そのため、非品質保証側のＩＰ電話機同士はＩＰ電話番号の代わりに各ＩＰ電話機の識別情報により通話先を指定し、ＩＰネットワーク７１０経由で通話する。ＩＰ電話機の識別情報とは例えば機体の製造番号、ＭＡＣアドレス、ＩＰアドレス、ドメイン、携帯電話番号、通信ボードの機番などのＩＰ電話機を識別できる情報のことである。以下、製造番号をＩＰ電話機の識別情報として説明する。以下の説明において製造番号はその他の識別情報でも構わない。
【００２５】
ルータ３１０は、ＩＰパケットのルーティング処理を行い、ＩＰ電話機の呼情報、音声データをＩＰネットワーク７１０経由で送信する。
また、アクセスポイント３２０は、無線通信を行うＩＰ電話機である無線ＩＰ電話機２１０、無線ＩＰ電話機２２０、無線ＩＰ電話機２３０、無線ＩＰ電話機２４０と無線通信する無線通信装置である。
【００２６】
上記のように、ＩＰ電話機同士はＩＰネットワーク７１０を通信網とするため、通話先ＩＰ電話機の製造番号を指定して通話することが可能であるが、一般電話機５１０は公衆回線網を通信網とするため製造番号により通話先を指定することができない。つまり、ＩＰ電話番号の割り当てられていないＩＰ電話機に一般電話機５１０から電話をかけることはできない。
【００２７】
そこで、中継装置１００は、品質保証側においてＩＰ電話番号の割り当てを受けると共に、中継装置１００に割り当てられたＩＰ電話番号とＩＰ電話番号の割り当てられていないＩＰ電話機（無線ＩＰ電話機２１０、無線ＩＰ電話機２２０、無線ＩＰ電話機２３０、無線ＩＰ電話機２４０）との対応付けを製造番号管理装置６２０により管理する。
製造番号管理装置６２０は、中継装置１００のＩＰ電話番号とＩＰ電話機の製造番号とを対応付けて記憶管理すると共に、製造番号とＩＰアドレスとを対応付けて記憶管理する。
【００２８】
以下の説明において、中継装置１００は、製造番号管理装置６２０から製造番号に対応するＩＰアドレスを取得し、取得したＩＰアドレスを送信先とし呼情報をデータとするＩＰパケットを生成／送信することで、製造番号に対応するＩＰ電話機に呼情報を送信することができるものとする。
【００２９】
上記の構成を備える呼中継システムでは、一般電話機５１０が無線ＩＰ電話機２１０に電話をかける場合、一般電話機５１０は、中継装置１００が無線ＩＰ電話機２１０に対応付けたＩＰ電話番号をかける。このＩＰ電話番号は、中継装置１００に割り当てられたものであり、電話番号管理装置６１０において中継装置１００のＩＰアドレスに対応付けられている。このため、一般電話機５１０が無線ＩＰ電話機２１０に対応付いたＩＰ電話番号をかけると呼情報は中継装置１００に送信される。そして、中継装置１００は製造番号管理装置６２０からＩＰ電話番号に対応する無線ＩＰ電話機２１０の製造番号を取得し、取得した製造番号に対応する無線ＩＰ電話機２１０に呼情報を送信する。これにより、一般電話機５１０と無線ＩＰ電話機２１０との呼を確立し通話が可能となる。
【００３０】
ここで、無線ＩＰ電話機２１０は一般の携帯電話機でも構わない。
一般の携帯電話機は公衆回線網に接続して通話する機能に加え、ＩＰネットワークに接続してウェブを閲覧する機能を備える場合が多い。
そのため、ＩＰネットワークに接続する機能を利用すればＩＰ電話機として利用できるためである。
【００３１】
また、実施の形態において、無線ＩＰ電話機２１０として説明するＩＰ電話機は、モバイル端末ではなく固定式の端末に置き換えても構わない。例えば、音声入出力装置を備えたパーソナルコンピュータをＩＰ電話機としても構わない。
また、実施の形態において、無線ＩＰ電話機２１０として説明するＩＰ電話機は、無線通信を行うＩＰ電話機ではなく有線通信を行うＩＰ電話機に置き換えても構わない。
【００３２】
つまり、実施の形態において、無線ＩＰ電話機２１０として説明するＩＰ電話機は、パケット通信を行える通信端末／通信装置であれば何でも構わない。
【００３３】
また、上記説明において、製造番号管理装置６２０が製造番号とＩＰ電話番号とを対応付けて記憶管理し、中継装置１００は製造番号管理装置６２０からＩＰ電話番号に対応する製造番号を取得するとした。
但し、中継装置１００自らが、製造番号とＩＰ電話番号とを対応付けて記憶管理してもよい。
【００３４】
図２は、実施の形態１における中継装置１００のハードウェア構成図である。
図２に示すように、実施の形態１における中継装置１００はＣＰＵ（Ｃｅｎｔｒａｌ  Ｐｒｏｃｅｓｓｉｎｇ  Ｕｎｉｔ）９０１、メモリ９０２、補助記憶装置９０３、ＬＡＮ（ローカルエリアネットワーク）Ｉ／Ｆ９０４、コーデック９０５を備え、それぞれバス９０６を介して接続している。
【００３５】
メモリ９０２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）などの記憶装置である。
また、補助記憶装置９０３はハードディスクなど大容量の記憶装置である。
メモリ９０２や補助記憶装置９０３は記憶部の一例である。
メモリ９０２や補助記憶装置９０３には、製造番号管理装置６２０に対する送信先ＩＰアドレスが記憶されている。また、その他、呼中継処理に必要とする各ＩＰアドレスが記憶されている。また、中継装置１００自らが、製造番号とＩＰ電話番号との対応付けを管理する場合、製造番号とＩＰ電話番号とを対応付けたテーブルが記憶される。
メモリ９０２や補助記憶装置９０３には、以下に「〜部」として説明する機能を実行するプログラムが記憶されている。プログラムは、ＣＰＵ９０１により読み出され実行される。
また、メモリ９０２や補助記憶装置９０３には、「〜部」の機能で処理された結果情報が記憶される。
また、以下に「〜部」として説明するものは、ＲＯＭに記憶されたファームウェアで実現されていても構わない。或いは、ソフトウェアのみ、或いは、ハードウェアのみ、或いは、ソフトウェアとハードウェアとの組み合わせ、さらには、ファームウェアとの組み合わせで実施されても構わない。
【００３６】
ＬＡＮ  Ｉ／Ｆ９０４はＩＰネットワークに接続するインタフェースであり、信号の入出力により、ＩＰネットワークとの間でデータの送受信を行う。図では２枚のＬＡＮインターフェースを持っているように記しているが１枚でもかまわない。
コーデック９０５は、ＬＡＮ  Ｉ／Ｆ９０４により接続するＩＰネットワーク間でデータの符号化方式、音声の圧縮方式が異なる場合にコーデック処理を行う。コーデック処理とは、入力データに対するＡ／Ｄ（アナログ／デジタル）変換、Ｄ／Ａ（デジタル／アナログ）変換といった符号処理（符号化／復号化）および音声データに対する圧縮／伸長処理のことをいう。
【００３７】
図３は、実施の形態１における中継装置１００の機能ブロック図である。
中継装置１００が製造番号管理装置６２０からＩＰ電話番号に対応付いたＩＰ電話機の製造番号またはＩＰ電話機の製造番号に対応付いたＩＰ電話番号を取得する場合の機能ブロックについて図３に基づいて以下に説明する。
【００３８】
図３に示すように、実施の形態１における中継装置１００は、品質保証側呼制御部１１０、対応処理部１２０、非品質保証側呼制御部１３０、音声パケット送受信制御部１４０を備える。
【００３９】
品質保証側呼制御部１１０は品質保証側のネットワークとの通信処理を行う。
非品質保証側呼制御部１３０は非品質保証側のネットワークとの通信処理を行う。
品質保証側呼制御部１１０と非品質保証側呼制御部１３０は、それぞれ一般電話機、無線ＩＰ電話機と呼を確立するために通信処理を行う。例えば、呼制御プロトコル処理を行う。
また、品質保証側呼制御部１１０と非品質保証側呼制御部１３０はＬＡＮ  Ｉ／Ｆ９０４を使用することで通信処理を行う。
品質保証側呼制御部１１０と非品質保証側呼制御部１３０は呼を検出する呼検出部の一例であり、呼を中継する中継部の一例である。
【００４０】
対応処理部１２０はＩＰ電話機の製造番号と中継装置１００のＩＰ電話番号との対応付け処理を行う。
対応処理部１２０は通信部１２１を備え、通信部１２１が製造番号管理装置６２０と通信を行い、製造番号管理装置６２０から製造番号またはＩＰ電話番号の取得を行う。
対応処理部１２０は識別情報（製造番号）の取得を行う識別情報取得部の一例である。
【００４１】
音声パケット送受信制御部１４０は、品質保証側のネットワークと非品質保証側のネットワークとの間で通信する音声パケット（音声データを含むＩＰパケット）の中継の際に、送信先ＩＰアドレスの変更を行う。
このとき、音声パケット送受信制御部１４０は、品質保証側からの音声パケットの送信先アドレスを、中継先となるＩＰ電話機に対応するＩＰアドレスに変更する。また、非品質保証側からの音声パケットの送信先ＩＰアドレス、中継先となる一般電話機に対応するＩＰアドレスに変更する。
また、音声パケット送受信制御部１４０は、品質保証側のネットワークと非品質保証側のネットワークとでデータの符号化方式、音声の圧縮方式が異なる場合にコーデック処理を行う。コーデック処理はコーデック９０５を使用して行う。
【００４２】
図４は、実施の形態１における中継装置１００の他の機能ブロック図である。
中継装置１００がＩＰ電話機の製造番号と中継装置１００のＩＰ電話番号とを対応付けて記憶管理する場合の機能ブロックについて、図３に示す中継装置１００の機能ブロックと異なる部分を図４に基づいて以下に説明する。
【００４３】
図４に示すように、中継装置１００の対応処理部１２０はテーブル操作部１２２とテーブル記憶部１２９とを備える。
【００４４】
テーブル記憶部１２９はＩＰ電話機の製造番号と中継装置１００のＩＰ電話番号とを対応付ける管理テーブルを記憶する。また、テーブル記憶部１２９にはメモリ９０２、補助記憶装置９０３を用いる。
テーブル操作部１２２はテーブル記憶部１２９に記憶される管理テーブルにアクセスし、ＩＰ電話機の製造番号と中継装置１００のＩＰ電話番号との対応付け、ＩＰ電話番号に対応する製造番号または製造番号に対応するＩＰ電話番号の取得を行う。
【００４５】
図５は、実施の形態１における呼中継システムの管理情報のイベント発生時の登録処理を示す図である。
前述のように、非品質保証側ではＩＰ電話機の製造番号と中継装置１００のＩＰ電話番号との対応付け（非品質保証側の管理情報）を記憶管理し、品質保証側では中継装置１００のＩＰ電話番号と中継装置１００のＩＰアドレスとの対応付け（品質保証側の管理情報）を記憶管理する必要がある。
そこで、無線ＩＰ電話機２１０が一般電話機５１０に電話した契機または無線ＩＰ電話機２１０が中継装置１００にＩＰ電話番号の対応付けを要求した契機に、中継装置１００が製造番号管理装置６２０および電話番号管理装置６１０に管理情報を登録する処理について、図５に基づいて以下に説明する。
以下、管理情報は管理テーブルとして記憶管理するものとする。
【００４６】
（１）まず、無線ＩＰ電話機２１０が中継装置１００に通信接続する。このとき、無線ＩＰ電話機２１０は中継装置１００に無線ＩＰ電話機２１０の製造番号を送信する。
（２）中継装置１００は無線ＩＰ電話機２１０の製造番号を受信し、受信した製造番号を製造番号管理装置６２０に送信する。
（３）製造番号管理装置６２０は受信した製造番号をキーに管理テーブルを検索する。そして、受信した製造番号に対応付けられたＩＰ電話番号を取得し中継装置１００に送信する。また、受信した製造番号にＩＰ電話番号がまだ対応付けられていない場合は空いているＩＰ電話番号を検索して対応付けを行う。
（４）中継装置１００は無線ＩＰ電話機２１０に対応付いたＩＰ電話番号と中継装置１００のＩＰアドレスとを電話番号管理装置６１０或いはＩＰ電話事業者サーバ４２０に送信する（ＩＰ電話事業者サーバ４２０が電話番号管理装置６１０の機能を内蔵している場合やＩＰ電話事業者サーバ４２０が電話番号管理装置６１０を制御している場合、中継装置１００はＩＰ電話番号とＩＰアドレスとをＩＰ電話事業者サーバ４２０に送信する。以下、中継装置１００が電話番号管理装置６１０とデータ（ＩＰ電話番号とＩＰアドレスなど）を送受信する旨の記述は、上記のように中継装置１００がＩＰ電話事業者サーバ４２０とデータを送受信する場合も含めるものとする。）。そして、電話番号管理装置６１０では中継装置１００が送信した無線ＩＰ電話機２１０に対応付いたＩＰ電話番号と中継装置１００のＩＰアドレスとをテーブルに記憶する。
【００４７】
図６は、実施の形態１における中継装置１００の管理情報登録処理の流れを示すフローチャートである。
図５で説明した管理情報の登録処理時の中継装置１００の処理について図６に基づいて以下に説明する。また、無線ＩＰ電話機２１０にはＩＰ電話番号が対応付けられていないものとする。
【００４８】
非品質保証側呼制御部１３０が無線ＩＰ電話機２１０からの通信接続を検出する。また通信接続時に非品質保証側呼制御部１３０は無線ＩＰ電話機２１０の製造番号を取得する（Ｓ１０１）。
【００４９】
対応処理部１２０は無線ＩＰ電話機２１０の製造番号に対し中継装置１００のＩＰ電話番号の対応付けを行う（Ｓ１０２）。
このとき、対応処理部１２０の通信部１２１は非品質保証側呼制御部１３０が取得した無線ＩＰ電話機２１０の製造番号を製造番号管理装置６２０に送信する。これにより、対応処理部１２０は、製造番号管理装置６２０に、無線ＩＰ電話機２１０の製造番号と中継装置１００のＩＰ電話番号との対応付けをさせる。
また、中継装置１００自らが製造番号とＩＰ電話番号との対応付けを管理する場合、テーブル操作部１２２がテーブル記憶部１２９に記憶された管理テーブルから空きのＩＰ電話番号を検索し製造番号を対応付けて管理テーブルに設定する。
【００５０】
対応処理部１２０は、無線ＩＰ電話機２１０に対応付いたＩＰ電話番号を取得する（Ｓ１０３）。
このとき、対応処理部１２０の通信部１２１は製造番号管理装置６２０から無線ＩＰ電話機２１０に対応付いたＩＰ電話番号を受信する。
また、中継装置１００自らが製造番号とＩＰ電話番号との対応付けを管理する場合、テーブル操作部１２２が無線ＩＰ電話機２１０に対応付けて管理テーブルに設定したＩＰ電話番号を取得する。
【００５１】
品質保証側呼制御部１１０は無線ＩＰ電話機２１０に対応付いたＩＰ電話番号と中継装置１００のＩＰアドレスとを電話番号管理装置６１０に送信する。これにより、電話番号管理装置６１０の管理テーブルに、無線ＩＰ電話機２１０に対応付いたＩＰ電話番号と中継装置１００のＩＰアドレスとが対応付けられて登録される（Ｓ１０４）。
中継装置１００のＩＰアドレスは、中継装置１００のメモリ９０２に記憶され、図３または図４の機能ブロック図において「〜部」で示される中継装置１００の各機能ブロックはメモリ９０２から中継装置１００のＩＰアドレスを取得できる。
【００５２】
図７、図８は、実施の形態１における製造番号管理装置６２０の管理テーブルを示す図である。
無線ＩＰ電話機２１０の製造番号（Ｎｏ．１）に中継装置１００のＩＰ電話番号（０５０ＸＸＸＸ０００１）を対応付ける場合の管理テーブルの状態について図７、図８に基づいて以下に説明する。
中継装置１００自らが製造番号とＩＰ電話番号との対応付けを管理する場合、図７、図８に示す管理テーブルはテーブル記憶部１２９に記憶されるテーブルであり、テーブル操作部１２２により製造番号とＩＰ電話番号との対応付けが設定されるものである。
【００５３】
製造番号管理装置６２０は電話番号管理テーブル、製造番号管理テーブル、対応管理テーブルを管理テーブルとして記憶管理する。
電話番号管理テーブルは中継装置１００のＩＰ電話番号とその状態を管理するテーブルである。ＩＰ電話番号の状態とは、ＩＰ電話番号がＩＰ電話機の製造番号に対応済みか、空いているか、そのＩＰ電話番号を用いて通話中かなどである。
製造番号管理テーブルは製造番号とその状態を管理するテーブルである。製造番号の状態とは、ＩＰ電話機の製造番号がＩＰ電話番号に対応済みか、未対応か、その製造番号のＩＰ電話機が通話中かなどである。
対応管理テーブルは電話番号管理テーブルと製造番号管理テーブルとを対応付けるテーブルである。つまり、ＩＰ電話番号と製造番号とを対応付けるテーブルである。
【００５４】
図７の電話番号管理テーブルは、中継装置１００に「０５０ＸＸＸＸ０００１」、「０５０ＸＸＸＸ０００２」、「０５０ＸＸＸＸ０００３」、「０５０ＸＸＸＸ０００４」・・・のＩＰ電話番号が割り当てられていることを示している。また、いずれのＩＰ電話番号にも製造番号は対応付けられておらず、「空」状態である。
図７の製造番号管理テーブルは、製造番号が「Ｎｏ．１」、「Ｎｏ．２」、「Ｎｏ．３」、「Ｎｏ．４」であるいずれのＩＰ電話機にもＩＰ電話番号が対応付けられていないことを示す。
【００５５】
図７に示す管理テーブルの設定時に無線ＩＰ電話機２１０（製造番号：Ｎｏ．１）にＩＰ電話番号を対応付ける場合について以下に説明する。
製造番号管理装置６２０は、製造番号「Ｎｏ．１」で製造番号管理テーブルを検索し、その「状態」を取得する。
「状態」は製造番号「Ｎｏ．１」にＩＰ電話番号が対応付けられていないことを示すため、電話番号管理テーブルから状態が「空」であるＩＰ電話番号を検索する。そして、検索の結果、ＩＰ電話番号「０５０ＸＸＸＸ０００１」を選択し、図８に示すように、製造番号「Ｎｏ．１」にＩＰ電話番号「０５０ＸＸＸＸ０００１」を対応付けて管理テーブルを設定する。
【００５６】
上記では、無線ＩＰ電話機２１０が一般電話機５１０に電話した契機または無線ＩＰ電話機２１０が中継装置１００にＩＰ電話番号の対応付けを要求した契機に、中継装置１００が製造番号管理装置６２０および電話番号管理装置６１０に管理情報を登録する処理について説明した。
但し、中継装置１００は定期的に管理情報を登録してもよい。
【００５７】
図９は、実施の形態１における呼中継システムの管理情報の定期的な登録処理を示す図である。
定期的に、中継装置１００が製造番号管理装置６２０および電話番号管理装置６１０に管理情報を登録する処理について、図９に基づいて以下に説明する。
【００５８】
（１）中継装置１００は、定期的に、製造番号に対応付いたＩＰ電話番号の要求を製造番号管理装置６２０に送信する。
（２）製造番号管理装置６２０は管理テーブルを検索し、いずれかの製造番号に対応付いたＩＰ電話番号を全て取得し中継装置１００に送信する。
（３）中継装置１００はいずれかの製造番号に対応付いた全てのＩＰ電話番号と中継装置１００のＩＰアドレスとを電話番号管理装置６１０に送信する。そして、電話番号管理装置６１０ではいずれかの製造番号に対応付いたＩＰ電話番号それぞれに中継装置１００のＩＰアドレスを対応付けて管理テーブルに記憶する。
【００５９】
図１０は、実施の形態１における中継装置１００の管理情報の登録処理を示す図である。
図９で説明した管理情報の登録処理時の中継装置１００の処理について図１０に基づいて以下に説明する。
【００６０】
対応処理部１２０は、タイマーを設定して一定時間の経過を検出する（Ｓ２０１）。
タイマーが複数あって個々に時間をカウントしてよい。
【００６１】
一定時間の経過を検出すると、対応処理部１２０は、いずれかの製造番号に対応付いたＩＰ電話番号を全て取得する（Ｓ２０２）。
このとき、対応処理部１２０の通信部１２１は、製造番号に対応付いたＩＰ電話番号の要求を製造番号管理装置６２０に送信する。そして、製造番号管理装置６２０からいずれかの製造番号に対応付いたＩＰ電話番号の全てを受信する。
また、中継装置１００自らが製造番号とＩＰ電話番号との対応付けを管理する場合、テーブル操作部１２２がテーブル記憶部１２９に記憶された管理テーブルを検索し、いずれかの製造番号に対応付いたＩＰ電話番号を全て取得する。
【００６２】
品質保証側呼制御部１１０はいずれかの製造番号に対応付いたＩＰ電話番号の全てと中継装置１００のＩＰアドレスとを電話番号管理装置６１０に送信する。これにより、電話番号管理装置６１０の管理テーブルに、いずれかの製造番号に対応付いたＩＰ電話番号のそれぞれと中継装置１００のＩＰアドレスとが対応付けられて登録される（Ｓ２０３）。
【００６３】
上記では、中継装置１００の定期的な管理情報の登録処理において、製造番号に対応付いた全てのＩＰ電話番号について登録処理を行ったが、一部のＩＰ電話番号についての登録処理であっても構わない。
上記では、無線ＩＰ電話機２１０が一般電話機５１０に電話した契機や無線ＩＰ電話機２１０が中継装置１００にＩＰ電話番号の対応付けを要求した契機などのイベント発生時または定期的に、中継装置１００が製造番号管理装置６２０および電話番号管理装置６１０に管理情報を登録することについて説明した。
これにより、中継装置１００に固定のＩＰアドレスが割り当てられておらず、中継装置１００のＩＰアドレスが動的である場合にも、中継装置１００は一般電話機５１０からの呼を無線ＩＰ電話機２１０に中継することができる。中継装置１００のＩＰアドレスが変更されても電話番号管理装置６１０に中継装置１００の新たなＩＰアドレスを登録できるためである。
【００６４】
上記のように、中継装置１００は、いずれかの製造番号に対応付いた中継装置１００のＩＰ電話番号と中継装置１００のＩＰアドレスとを電話番号管理装置６１０に登録する。
また、前述のように、一般電話機５１０がＩＰ電話方式により電話する場合、ＩＰ電話事業者サーバ４２０は一般電話機５１０のかけたＩＰ電話番号に対応するＩＰアドレスを取得して、取得したＩＰアドレスを送信先として一般電話機５１０の呼情報を送信する。一般電話機５１０が非品質保証側のＩＰ電話機に電話する場合の呼情報の送信先は中継装置１００になる。
以下、一般電話機５１０が非品質保証側のＩＰ電話機に電話する場合に、ＩＰ電話事業者サーバ４２０が、ＩＰ電話番号に対応するＩＰアドレスを送信先として、呼情報を中継装置１００に送信することについての説明は省略する。
【００６５】
図１１は、実施の形態１における呼中継システムの品質保証側から非品質保証側への呼接続処理を示す図である。
品質保証側の一般電話機５１０が非品質保証側の無線ＩＰ電話機２１０に電話した場合について図１１に基づいて以下に説明する。
ここで、無線ＩＰ電話機２１０の製造番号は「Ｎｏ．１」であり「Ｎｏ．１」にはＩＰ電話番号「０５０ＸＸＸＸ０００１」が対応付いているものとする。「０５０ＸＸＸＸ０００１」は中継装置１００に割り当てられたＩＰ電話番号である。
【００６６】
（１）一般電話機５１０は無線ＩＰ電話機２１０に電話するためにＩＰ電話番号「０５０ＸＸＸＸ０００１」で発呼する。「０５０ＸＸＸＸ０００１」は中継装置１００のＩＰ電話番号であるため一般電話機５１０の呼情報は中継装置１００に送信される。
（２）中継装置１００は、呼情報を受信すると、製造番号管理装置６２０にＩＰ電話番号「０５０ＸＸＸＸ０００１」に対応付いた製造番号を要求する。
（３）製造番号管理装置６２０は、管理テーブルを検索しＩＰ電話番号「０５０ＸＸＸＸ０００１」に対応付いた製造番号「Ｎｏ．１」を取得して中継装置１００に送信する。
（４）中継装置１００は製造番号「Ｎｏ．１」に対応する送信先（無線ＩＰ電話機２１０）に呼情報を送信する。
これにより、一般電話機５１０と無線ＩＰ電話機２１０との間で呼が確立し、通話が可能になる。
【００６７】
図１２は、実施の形態１における中継装置１００の品質保証側から非品質保証側への呼接続処理の流れを示すフローチャートである。
図１１で説明した品質保証側から非品質保証側への呼接続処理時の中継装置１００の処理について図１２に基づいて以下に説明する。
【００６８】
品質保証側呼制御部１１０が一般電話機５１０から無線ＩＰ電話機２１０への電話の呼情報を受信する（呼を検出する）（Ｓ３０１）。
呼情報にはＩＰ電話番号「０５０ＸＸＸＸ０００１」が設定されている。
【００６９】
対応処理部１２０はＩＰ電話番号「０５０ＸＸＸＸ０００１」に対応付いた製造番号を取得する（Ｓ３０２）。
このとき、対応処理部１２０の通信部１２１は、ＩＰ電話番号「０５０ＸＸＸＸ０００１」に対応付いた製造番号の要求を製造番号管理装置６２０に送信する。そして、製造番号管理装置６２０からＩＰ電話番号「０５０ＸＸＸＸ０００１」に対応付いた製造番号「Ｎｏ．１」を受信する。
また、中継装置１００自らが製造番号とＩＰ電話番号との対応付けを管理する場合、テーブル操作部１２２がテーブル記憶部１２９に記憶された管理テーブルを検索し、ＩＰ電話番号「０５０ＸＸＸＸ０００１」に対応付いた製造番号「Ｎｏ．１」を取得する。
【００７０】
非品質保証側呼制御部１３０が製造番号「Ｎｏ．１」に対応する送信先（無線ＩＰ電話機２１０）に呼情報を送信する（Ｓ３０３）。
【００７１】
そして、品質保証側呼制御部１１０と非品質保証側呼制御部１３０は、それぞれ一般電話機５１０、無線ＩＰ電話機２１０と通信処理を行い呼接続する（呼を確立する）。
【００７２】
図１３は、実施の形態１における呼中継システムの非品質保証側から品質保証側への呼接続処理を示す図である。
非品質保証側の無線ＩＰ電話機２１０が品質保証側の一般電話機５１０に電話した場合について図１３に基づいて以下に説明する。
ここで、無線ＩＰ電話機２１０の製造番号は「Ｎｏ．１」であり「Ｎｏ．１」にはＩＰ電話番号「０５０ＸＸＸＸ０００１」が対応付いているものとする。
また、一般電話機５１０の一般電話番号は「０３ＸＸＸＸ０００１」とする。
【００７３】
（１）無線ＩＰ電話機２１０は一般電話機５１０に電話するために一般電話番号「０３ＸＸＸＸ０００１」で発呼する。このとき、無線ＩＰ電話機２１０は呼情報を中継装置１００に送信する。呼情報には無線ＩＰ電話機２１０の製造番号「Ｎｏ．１」が含まれる。
（２）中継装置１００は、呼情報を受信すると、製造番号管理装置６２０に製造番号「Ｎｏ．１」に対応付いたＩＰ電話番号を要求する。
（３）製造番号管理装置６２０は、管理テーブルを検索し製造番号「Ｎｏ．１」に対応付いたＩＰ電話番号「０５０ＸＸＸＸ０００１」を取得して中継装置１００に送信する。
（４）中継装置１００は発信先電話番号を「０３ＸＸＸＸ０００１」、発信元電話番号を「０５０ＸＸＸＸ０００１」として呼情報を送信する。
これにより、一般電話機５１０と無線ＩＰ電話機２１０との間で呼が確立し、通話が可能になる。
また、無線ＩＰ電話機２１０の製造番号に対応付いたＩＰ電話番号を取得し送信することで、一般電話機５１０に発信元電話番号を通知しディスプレイ表示するようなことも可能になる。
【００７４】
図１４は、実施の形態１における中継装置１００の非品質保証側から品質保証側への呼接続処理の流れを示すフローチャートである。
図１３で説明した非品質保証側から品質保証側への呼接続処理時の中継装置１００の処理について図１４に基づいて以下に説明する。
【００７５】
非品質保証側呼制御部１３０が無線ＩＰ電話機２１０から一般電話機５１０への電話の呼情報を受信する（呼を検出する）（Ｓ４０１）。
呼情報には一般電話機５１０の一般電話番号「０３ＸＸＸＸ０００１」と無線ＩＰ電話機２１０の製造番号「Ｎｏ．１」が設定されている。
【００７６】
対応処理部１２０は製造番号「Ｎｏ．１」に対応付いたＩＰ電話番号を取得する（Ｓ４０２）。
このとき、対応処理部１２０の通信部１２１は、製造番号「Ｎｏ．１」に対応付いたＩＰ電話番号の要求を製造番号管理装置６２０に送信する。そして、製造番号管理装置６２０から製造番号「Ｎｏ．１」に対応付いたＩＰ電話番号「０５０ＸＸＸＸ０００１」を受信する。
また、中継装置１００自らが製造番号とＩＰ電話番号との対応付けを管理する場合、テーブル操作部１２２がテーブル記憶部１２９に記憶された管理テーブルを検索し、製造番号「Ｎｏ．１」に対応付いたＩＰ電話番号「０５０ＸＸＸＸ０００１」を取得する。
【００７７】
品質保証側呼制御部１１０が発信先電話番号を「０３ＸＸＸＸ０００１」、発信元電話番号を「０５０ＸＸＸＸ０００１」として呼情報を送信する（Ｓ４０３）。
【００７８】
そして、品質保証側呼制御部１１０と非品質保証側呼制御部１３０は、それぞれ一般電話機５１０、無線ＩＰ電話機２１０と通信処理を行い呼接続する（呼を確立する）。
【００７９】
図１５は、実施の形態１における呼中継システムの非品質保証側から非品質保証側への呼接続処理を示す図である。
発呼側の無線ＩＰ電話機２１０が着呼側の無線ＩＰ電話機２３０に電話した場合について図１５に基づいて以下に説明する。
ここで、発呼側の無線ＩＰ電話機２１０の製造番号は「Ｎｏ．１」であり「Ｎｏ．１」にはＩＰ電話番号「０５０ＸＸＸＸ０００１」が対応付いているものとする。
また、着呼側の無線ＩＰ電話機２３０の製造番号は「Ｎｏ．３」である。
【００８０】
（１）発呼側の無線ＩＰ電話機２１０は着呼側の無線ＩＰ電話機２３０に電話するために製造番号「Ｎｏ．３」で発呼する。このとき、発呼側の無線ＩＰ電話機２１０は呼情報を中継装置１００に送信する。呼情報には無線ＩＰ電話機２１０の製造番号「Ｎｏ．１」が含まれる。
（２）中継装置１００は、呼情報を受信すると、製造番号管理装置６２０に製造番号「Ｎｏ．１」に対応付いたＩＰ電話番号を要求する。
（３）製造番号管理装置６２０は、管理テーブルを検索し製造番号「Ｎｏ．１」に対応付いたＩＰ電話番号「０５０ＸＸＸＸ０００１」を取得して中継装置１００に送信する。
（４）中継装置１００は製造番号「Ｎｏ．３」に対応する送信先（無線ＩＰ電話機２３０）に発信元電話番号を「０５０ＸＸＸＸ０００１」として呼情報を送信する。
これにより、発呼側の無線ＩＰ電話機２１０と着呼側の無線ＩＰ電話機２３０との間で呼が確立し、通話が可能になる。
また、発呼側の無線ＩＰ電話機２１０の製造番号に対応付いたＩＰ電話番号を取得し送信することで、着呼側の無線ＩＰ電話機２３０に発信元電話番号を通知しディスプレイ表示するようなことも可能になる。
【００８１】
図１６は、実施の形態１における中継装置１００の非品質保証側から非品質保証側への呼接続処理の流れを示すフローチャートである。
図１５で説明した非品質保証側から非品質保証側への呼接続処理時の中継装置１００の処理について図１６に基づいて以下に説明する。
【００８２】
非品質保証側呼制御部１３０が発呼側の無線ＩＰ電話機２１０から着呼側の無線ＩＰ電話機２３０への電話の呼情報を受信する（呼を検出する）（Ｓ５０１）。
呼情報には着呼側の無線ＩＰ電話機２３０の製造番号「Ｎｏ．３」と発呼側の無線ＩＰ電話機２１０の製造番号「Ｎｏ．１」が設定されている。
【００８３】
対応処理部１２０は製造番号「Ｎｏ．１」に対応付いたＩＰ電話番号を取得する（Ｓ５０２）。
このとき、対応処理部１２０の通信部１２１は、製造番号「Ｎｏ．１」に対応付いたＩＰ電話番号の要求を製造番号管理装置６２０に送信する。そして、製造番号管理装置６２０から製造番号「Ｎｏ．１」に対応付いたＩＰ電話番号「０５０ＸＸＸＸ０００１」を受信する。
また、中継装置１００自らが製造番号とＩＰ電話番号との対応付けを管理する場合、テーブル操作部１２２がテーブル記憶部１２９に記憶された管理テーブルを検索し、製造番号「Ｎｏ．１」に対応付いたＩＰ電話番号「０５０ＸＸＸＸ０００１」を取得する。
【００８４】
非品質保証側呼制御部１３０が製造番号「Ｎｏ．３」に対応する送信先（無線ＩＰ電話機２３０）に発信元電話番号を「０５０ＸＸＸＸ０００１」として呼情報を送信する（Ｓ５０３）。
【００８５】
そして、非品質保証側呼制御部１３０は発呼側の無線ＩＰ電話機２１０と着呼側の無線ＩＰ電話機２３０と通信処理を行い呼接続する（呼を確立する）。
【００８６】
図１７は、実施の形態１における呼確立時の管理テーブルを示す図である。
ＩＰ電話番号「０５０ＸＸＸＸ０００１」に対応付いた無線ＩＰ電話機２１０（製造番号：Ｎｏ．１）が呼を確立して通話中の場合の製造番号管理装置６２０の管理テーブルについて図１７に基づいて以下に説明する。
【００８７】
ＩＰ電話番号「０５０ＸＸＸＸ０００１」に電話がかけられ呼が確立した場合、製造番号管理装置６２０は、電話番号管理テーブルを検索しＩＰ電話番号「０５０ＸＸＸＸ０００１」の状態を「通話中」に設定する。また、対応管理テーブルを検索しＩＰ電話番号「０５０ＸＸＸＸ０００１」に対応付いた製造番号「Ｎｏ．１」を取得し、製造番号管理テーブルを検索し製造番号「Ｎｏ．１」の状態を「通話中」に設定する。
【００８８】
製造番号管理装置６２０は、例えば、中継装置１００がＩＰ電話番号「０５０ＸＸＸＸ０００１」に対応付いた製造番号の要求を行った際に上記設定を行う。
また例えば、製造番号管理装置６２０は、中継装置１００から呼の確立時に通知を受けて上記設定を行う。中継装置１００がＩＰ電話番号「０５０ＸＸＸＸ０００１」に対応付いた製造番号の要求を受けてから呼の確立の通知を受けるまでの間は、例えば「着信処理中」などの状態を設定する。
【００８９】
また、無線ＩＰ電話機２１０から電話をかけて呼が確立した場合、製造番号管理装置６２０は、製造番号管理テーブルを検索し製造番号「Ｎｏ．１」の状態を「通話中」に設定する。また、対応管理テーブルを検索し製造番号「Ｎｏ．１」に対応付いたＩＰ電話番号「０５０ＸＸＸＸ０００１」を取得し、電話番号管理テーブルを検索しＩＰ電話番号「０５０ＸＸＸＸ０００１」の状態を「通話中」に設定する。
【００９０】
製造番号管理装置６２０は、例えば、中継装置１００が製造番号「Ｎｏ．１」に対応付いたＩＰ電話番号の要求を行った際に上記設定を行う。
また例えば、製造番号管理装置６２０は、中継装置１００から呼の確立時に通知を受けて上記設定を行う。中継装置１００が製造番号「Ｎｏ．１」に対応付いたＩＰ電話番号の要求を受けてから呼の確立の通知を受けるまでの間は、例えば「着信処理中」などの状態を設定する。
【００９１】
中継装置１００自らが製造番号とＩＰ電話番号との対応付けを管理する場合、上記製造番号管理装置６２０の各管理テーブルはテーブル記憶部１２９が記憶し、上記製造番号管理装置６２０の設定処理は、中継装置１００のテーブル操作部１２２が行う。
【００９２】
管理テーブルにおいてＩＰ電話番号および製造番号の状態を管理することで、通話時の接続などに対する処理ができる。
例えば、無線ＩＰ電話機２１０が「通話中」の時に別の電話機から無線ＩＰ電話機２１０に電話がかけられた場合、中継装置１００は新たにかけてきた電話機に「通話中」を示す呼情報を返信することで新たにかけてきた電話機においてビジートーンを出力するようなことが可能になる。これは、品質保証側からの電話、非品質保証側からの電話のどちらの場合でもいえる。
また例えば、無線ＩＰ電話機２１０に対する「着信処理中」の時に無線ＩＰ電話機２１０から電話をかけようとした場合、中継装置１００は無線ＩＰ電話機２１０に「着信処理中」を示す呼情報を返信することができる。
【００９３】
上記実施の形態１において、中継装置１００は、品質保証側のネットワークにおいてＩＰ電話番号が割り当てられ、電話番号の割り当てられていない非品質保証側のＩＰ電話機に中継装置１００のＩＰ電話番号を対応付けることで、電話番号の割り当てられていない非品質保証側のＩＰ電話機に一般電話機から電話できるようにする形態について説明した。
但し、中継装置１００は、一般電話番号が割り当てられ、電話番号の割り当てられていない非品質保証側のＩＰ電話機に中継装置１００の一般電話番号を対応付けることで、電話番号の割り当てられていない非品質保証側のＩＰ電話機に一般電話機から電話できるようにしても構わない。
【００９４】
実施の形態２．
上記実施の形態１では、無線ＩＰ電話機２１０（製造番号：Ｎｏ．１）に一つのＩＰ電話番号「０５０ＸＸＸＸ０００１」を対応付ける場合について説明した。
但し、中継装置１００は、図１８に示すように、無線ＩＰ電話機２１０（製造番号：Ｎｏ．１）に複数のＩＰ電話番号を対応付けてもよい。
ＩＰ電話機に複数のＩＰ電話番号を対応付けることで、同一のＩＰ電話機で複数の異なるＩＰ電話番号による着信ができる。
また、複数のＩＰ電話番号を対応付け、あるＩＰ電話番号で通話中に別のＩＰ電話番号に対して電話がかかった場合でも、「状態」を管理することで、上記実施の形態１と同様に通話時の接続に対する処理（例えば、通話中にビジートーンを出力する処理など）を行うことができる。
また、中継装置１００がＩＰ電話機に対して同時に複数のＩＰ電話番号で呼を確立すれば、ＩＰ電話機が複数の電話機と通話するようなことも可能になる。
【００９５】
中継装置１００の対応処理部１２０は、図１８に示すような実施の形態２における管理テーブルを製造番号管理装置６２０を用いて記憶管理してもよいし、自らがテーブル記憶部１２９に記憶し、テーブル操作部１２２により管理してもよい。
【００９６】
実施の形態３．
上記実施の形態１では、一つのＩＰ電話番号「０５０ＸＸＸＸ０００１」に一つの無線ＩＰ電話機２１０（製造番号：Ｎｏ．１）を対応付ける場合について説明した。
但し、中継装置１００の対応処理部１２０は、図１９に示すように、一つのＩＰ電話番号に複数のＩＰ電話機（製造番号）を対応付けてもよい。
例えば、図２０に示すように、ＩＰ電話番号「０５０ＸＸＸＸ０００１」に対応付いたＩＰ電話機の内、製造番号「Ｎｏ．１」のＩＰ電話機と製造番号「Ｎｏ．２」のＩＰ電話機とがＩＰ電話をしている時に電話番号「０５０ＸＸＸＸ０００１」に着信があった場合、中継装置１００の対応処理部１２０は、管理テーブルを検索し電話中でない製造番号「Ｎｏ．３」のＩＰ電話機に呼を接続することができる。
【００９７】
また、中継装置１００があるＩＰ電話番号への発呼に対して、発呼されたＩＰ電話番号に対応付いた各ＩＰ電話機に対して呼を確立すれば、発呼元から複数のＩＰ電話機に対して通話するようなことも可能になる。
【００９８】
中継装置１００の対応処理部１２０は、図１９、図２０に示すような実施の形態３における管理テーブルを製造番号管理装置６２０を用いて記憶管理してもよいし、自らがテーブル記憶部１２９に記憶し、テーブル操作部１２２により管理してもよい。
【００９９】
実施の形態４．
中継装置１００は、管理テーブルを用いて、通話中に呼の接続先を切り替えてもよい。
【０１００】
例えば、図２１に示すように、ＩＰ電話番号「０５０ＸＸＸＸ０００１」に製造番号「Ｎｏ．１」が対応付き、ＩＰ電話番号「０５０ＸＸＸＸ０００２」に製造番号「Ｎｏ．２」が対応付いて、ＩＰ電話番号「０５０ＸＸＸＸ０００１」に対応付いた製造番号「Ｎｏ．１」のＩＰ電話機が通話中であるとする。
このとき、中継装置１００の非品質保証側呼制御部１３０は、製造番号「Ｎｏ．１」のＩＰ電話機から呼の接続先を「Ｎｏ．２」に切り替える要求（例えば、製造番号「Ｎｏ．１」のＩＰ電話機から通話中に入力されたプッシュボタン「２」の信号）を受信する。
中継装置１００の非品質保証側呼制御部１３０は、製造番号「Ｎｏ．２」のＩＰ電話機に呼情報を送信して呼を確立し、製造番号「Ｎｏ．１」のＩＰ電話機に呼情報を送信して呼を切断する。そして、中継装置１００の対応処理部１２０は、図２２に示すように管理テーブルを状態、対応付けを変更する。
これにより、中継装置１００は通話中に呼の接続先を切り替えることができる。また、通話中に他のＩＰ電話機に呼の接続先を切り替えたＩＰ電話機は、変更により新たに対応付けられたＩＰ電話番号により通話することができる。
【０１０１】
中継装置１００の対応処理部１２０は、図２１、図２２に示すような実施の形態４における管理テーブルを製造番号管理装置６２０を用いて記憶管理してもよいし、自らがテーブル記憶部１２９に記憶し、テーブル操作部１２２により管理してもよい。
【０１０２】
実施の形態５．
上記実施の形態４では、通話中に呼の接続先を切り替えることでＩＰ電話機に対応付いたＩＰ電話番号が変わる。そのため、発呼元が同一のＩＰ電話番号で発呼した呼を別のＩＰ電話機でうけた。
実施の形態５では、通話中に呼の接続先を切り替えても、対応付いたＩＰ電話番号が変わらない形態について説明する。
【０１０３】
中継装置１００の対応処理部１２０は、図２３に示すような、電話番号と製造番号とを対応付ける電話番号−製造番号対応管理テーブルを管理する。
図２３において、「電話番号１」はＩＰ電話番号の上位桁を示し、「電話番号２」はＩＰ電話番号の下位桁を示す。そして、「電話番号１」が同一であるＩＰ電話番号を一つのグループとして管理する。「電話番号２」と「製造番号」はペア（対）となっている。
また、中継装置１００の対応処理部１２０は、図２４に示すような、共用番号管理テーブルと共用操作管理テーブルと製造番号管理テーブルとを管理する。
共用番号管理テーブルは、図２３に示した電話番号−製造番号対応管理テーブルの「電話番号１」に対応して、グループ内で幾つの電話番号が通話中かの「状態」を記憶する。
「電話番号２」と「製造番号」はペア（対）となっている。
製造番号管理テーブルは、「製造番号」に対応するＩＰ電話機の通話「状態」を記憶する。
共用操作管理テーブルは、グループ内のＩＰ電話番号に対応するＩＰ電話機の内、通話中のＩＰ電話機の「製造番号」を記憶する。
【０１０４】
ここで、図２４に示すように、「０５０ＸＸＸＸ０００１」に対応付いた製造番号「Ｎｏ．１」のＩＰ電話機が通話中である時に、呼の接続先を製造番号「Ｎｏ．１」のＩＰ電話機から製造番号「Ｎｏ．２」のＩＰ電話機に切り替えるとする。
【０１０５】
このとき、中継装置１００の対応処理部１２０は、図２５に示すように、共用操作管理テーブルの「製造番号」を「Ｎｏ．１」から「Ｎｏ．２」に変更する。また、製造番号管理テーブルにおいて製造番号「Ｎｏ．１」の状態を「通話中」から「使用可」に変更すると共に、製造番号「Ｎｏ．２」の状態を「使用可」から「通話中」に変更する。
【０１０６】
製造番号「Ｎｏ．１」に対応付いたＩＰ電話番号には、電話番号−製造番号対応管理テーブルにおいて「０５０ＸＸＸＸ０００１」が設定されているため、上記のように、呼の接続先を製造番号「Ｎｏ．１」のＩＰ電話機から製造番号「Ｎｏ．２」のＩＰ電話機に切り替えても、ＩＰ電話番号「０５０ＸＸＸＸ０００１」で製造番号「Ｎｏ．１」のＩＰ電話機と呼を確立することができる。
【０１０７】
このとき、ＩＰ電話番号「０５０ＸＸＸＸ０００１」が発呼されると、中継装置１００の対応処理部１２０は、電話番号−製造番号対応管理テーブルを検索し、ＩＰ電話番号「０５０ＸＸＸＸ０００１」に対応付いた製造番号「Ｎｏ．１」を取得する。
次に、製造番号管理テーブルを検索しで製造番号「Ｎｏ．１」の状態を取得する。
このとき、図２６に示すように、製造番号「Ｎｏ．１」の状態が通話中でないため、共用番号管理テーブルにおいて共用電話番号「０５０ＸＸＸ１」の２つめの状態を「使用可」から「通話中」に変更する。
そして、共用操作管理テーブルにおいて、２つめの製造番号に新たに通話中になったＩＰ電話機の製造番号「Ｎｏ．１」を設定する。
【０１０８】
中継装置１００の対応処理部１２０は、図２３〜図２６に示すような実施の形態５における管理テーブルを製造番号管理装置６２０を用いて記憶管理してもよいし、自らがテーブル記憶部１２９に記憶し、テーブル操作部１２２により管理してもよい。
【０１０９】
実施の形態６．
上記各実施の形態において、非品質保証側の管理情報を記憶する管理テーブル（電話番号管理テーブル、対応管理テーブル、製造番号管理テーブル、電話番号−製造番号対応管理テーブル、共用番号管理テーブル、共用操作管理テーブル）は、製造番号管理装置６２０または中継装置１００のテーブル操作部１２２により情報の設定／取得を行うことを説明した。
但し、図２７に示すように、任意のパーソナルコンピュータ（ＰＣ）や電話機により、外部から管理テーブルにアクセスして情報の設定／取得を行ってもよい。
例えば、無線ＩＰ電話機２１０（製造番号：Ｎｏ．１）の使用者が車の運転時に無線ＩＰ電話機２１０を用いて管理テーブルにアクセスし、製造番号管理テーブルの製造番号「Ｎｏ．１」の状態に「運転中」を設定するなどしてもよい。これにより、中継装置１００が、無線ＩＰ電話機２１０への発信元に対して「運転中」のため電話を取ることができない旨のメッセージを送信するようなことも可能になる。
つまり、「通話中」に限らず、任意の状態を管理テーブルに設定できることで、状態に応じた様々な処理を実行することが可能になる。
【０１１０】
実施の形態７．
中継装置１００は、非品質保証側の管理情報を記憶する管理テーブル（電話番号管理テーブル、対応管理テーブル、製造番号管理テーブル、電話番号−製造番号対応管理テーブル、共用番号管理テーブル、共用操作管理テーブル）を用いて、図２８に示すような機能を実現してもよい。図２８に示す表は、製造番号管理装置６２０や中継装置１００のテーブル記憶部１２９に記憶して機能の参照やチェックに使用してもよい。
【０１１１】
＜空電話番号通知／対応付け電話番号指定＞
中継装置１００の対応処理部１２０は電話番号管理テーブルや電話番号−製造番号対応管理テーブルを検索して「空」状態のＩＰ電話番号を取得し、中継装置１００の品質保証側呼制御部１１０や非品質保証側呼制御部１３０がＩＰ電話機やＰＣなどに通知する。
また、ＩＰ電話機が「空」状態のＩＰ電話番号から任意のＩＰ電話番号を指定して中継装置１００に対応付けを要求する。そして、中継装置１００の対応処理部１２０は、指定されたＩＰ電話番号とＩＰ電話番号を指定したＩＰ電話機の製造番号とを対応付けて管理テーブルを設定する。
また、ＰＣがＩＰ電話番号を指定して複数のＩＰ電話機とＩＰ電話番号との対応付けを要求し、中継装置１００の対応処理部１２０が指定されたＩＰ電話機とＩＰ電話番号とを対応付けて管理テーブルを設定する。
【０１１２】
＜発着信状態表示＞
中継装置１００の対応処理部１２０が電話番号管理テーブルや製造番号管理テーブルを検索し、各ＩＰ電話番号および各製造番号についての発着信状態を中継装置１００の品質保証側呼制御部１１０や非品質保証側呼制御部１３０がＩＰ電話機やＰＣなどに通知する。
これにより、例えば、ＰＣでの各ＩＰ電話番号および各製造番号についての発着信状態のディスプレイ表示や発着信状態の履歴管理などが行える。
【０１１３】
＜位置情報表示＞
中継装置１００の対応処理部１２０は、無線ＩＰ電話機が無線接続したアクセスポイントの位置情報を製造番号管理テーブルの状態に設定する。
そして、中継装置１００の品質保証側呼制御部１１０や非品質保証側呼制御部１３０は、製造番号管理テーブルの状態に設定したアクセスポイントの位置情報を無線ＩＰ電話機の位置情報としてＩＰ電話機やＰＣなどに通知する。
無線ＩＰ電話機とアクセスポイントとは無線により通信接続するため、無線ＩＰ電話機は無線接続するアクセスポイントから一定の範囲内に位置する。このため、無線ＩＰ電話機にＧＰＳ（Ｇｌｏｂａｌ  Ｐｏｓｉｔｉｏｎｉｎｇ  Ｓｙｓｔｅｍ）などの測位機能が無くても、アクセスポイントの位置を用いて、無線ＩＰ電話機の大まかな位置を取得できる。
【０１１４】
＜保留通知＞
中継装置１００の対応処理部１２０は、電話番号管理テーブルや製造番号管理テーブルの状態に「通話保留」を設定する。
例えば、中継装置１００の対応処理部１２０は、一般電話機側から保留通知（保留ボタンの信号情報）を受信した場合、電話番号管理テーブルにおいて、一般電話機が電話中のＩＰ電話番号の状態を「通話保留」に設定する。また、ＩＰ電話機側から保留通知を受信した場合、製造番号管理テーブルにおいて、ＩＰ電話機の製造番号の状態を「通話保留」に設定する。これにより、中継装置１００の対応処理部１２０は、品質保証側からの保留か非品質保証側からの保留かを管理でき、中継装置１００の品質保証側呼制御部１１０や非品質保証側呼制御部１３０が保留した相手先に保留音などを通知することが可能になる。
【０１１５】
＜割込通話＞
中継装置１００において、発呼があったときに、対応処理部１２０が対象のＩＰ電話番号、製造番号を電話番号管理テーブルや製造番号管理テーブルで検索し、状態が「通話中」である場合に、非品質保証側呼制御部１３０が対象のＩＰ電話機に着信があったことを示す割込み音などを通知する。
【０１１６】
中継装置１００の対応処理部１２０は、実施の形態７における管理テーブルを製造番号管理装置６２０を用いて記憶管理してもよいし、自らがテーブル記憶部１２９に記憶し、テーブル操作部１２２により管理してもよい。
【０１１７】
上記各実施の形態において、電話番号管理テーブルの「状態」、製造番号管理テーブルの「状態」、共用番号管理テーブルの「状態」は呼の確立の可否（例えば、通話中か否かなど）を示すことができることを説明した。
【０１１８】
上記各実施の形態において、品質保証されたネットワーク（品質保証側）に接続して、一般公衆電話番号（一般電話番号）に相当するＩＰ電話番号（０５０番号）の割り当てられたＩＰ電話端末（ＩＰ電話機）の接続地点に接続するＩＰ電話中継装置（中継装置１００）であり、品質保証されていないネットワーク（非品質保証側）に置かれたインターネット電話端末（ＩＰ電話機）との間の通話を、品質保証されたネットワークからの０５０番号による発着信を、その中継装置１００を経由することで、インターネット電話端末（ＩＰ電話機）が仮想的に０５０番号にて発着信することができるＩＰ電話中継装置（中継装置１００）について説明した。
【０１１９】
また、ＩＰ電話中継装置（中継装置１００）は、品質保証ネットワーク側の呼制御サーバ装置（電話番号管理装置６１０）へ接続できる電話端末呼制御機能（品質保証側呼制御部の機能）を備え、非品質保証ネットワークの呼制御サーバ機能（テーブル操作部１２２およびテーブル記憶部１２９の機能）を備え、品質保証ネットワーク側の呼制御に必要な電話番号情報と非品質保証ネットワーク側の呼制御に必要な端末識別子情報（製造番号）とを対応させる変換テーブル（管理テーブル）機能を備えることについて説明した。
【０１２０】
また、品質保証ネットワーク側のＩＰ電話端末（一般電話機５１０）からの０５０番号による着信がなされたＩＰ電話中継装置（中継装置１００）は、変換テーブル（管理テーブル）を参照することで、非品質保証ネットワーク側の対応するインターネット電話端末（ＩＰ電話機）を、その端末識別子（製造番号）から決定し、その端末情報（製造番号および製造番号に対応する送信先ＩＰアドレスなど）を調べた上で、そのインターネット電話端末（ＩＰ電話機）への発信処理を行ない、品質保証ネットワーク側の端末（一般電話機５１０）からの通話の接続（呼接続／呼確立）を行なうことができることについて説明した。
【０１２１】
また、非品質保証ネットワーク側のインターネット電話端末（ＩＰ電話機）から、品質保証ネットワーク側への発信の場合、中継装置１００は、変換テーブル（管理テーブル）を参照して、インターネット電話端末（ＩＰ電話機）に相当する０５０番号情報に基づいて、品質保証ネットワーク側の呼制御サーバ装置（電話番号管理装置６１０）へ発信を行なうことで、双方の端末の通話接続を行なうことについて説明した。
【図面の簡単な説明】
【０１２２】
【図１】実施の形態１における呼中継システムの構成図。
【図２】実施の形態１における中継装置１００のハードウェア構成図。
【図３】実施の形態１における中継装置１００の機能ブロック図。
【図４】実施の形態１における中継装置１００の他の機能ブロック図。
【図５】実施の形態１における呼中継システムの管理情報のイベント発生時の登録処理を示す図。
【図６】実施の形態１における中継装置１００の管理情報登録処理の流れを示すフローチャート。
【図７】実施の形態１における製造番号管理装置６２０の管理テーブルを示す図。
【図８】実施の形態１における製造番号管理装置６２０の管理テーブルを示す図。
【図９】実施の形態１における呼中継システムの管理情報の定期的な登録処理を示す図。
【図１０】実施の形態１における中継装置１００の管理情報の登録処理を示す図。
【図１１】実施の形態１における呼中継システムの品質保証側から非品質保証側への呼接続処理を示す図。
【図１２】実施の形態１における中継装置１００の品質保証側から非品質保証側への呼接続処理の流れを示すフローチャート。
【図１３】実施の形態１における呼中継システムの非品質保証側から品質保証側への呼接続処理を示す図。
【図１４】実施の形態１における中継装置１００の非品質保証側から品質保証側への呼接続処理の流れを示すフローチャート。
【図１５】実施の形態１における呼中継システムの非品質保証側から非品質保証側への呼接続処理を示す図。
【図１６】実施の形態１における中継装置１００の非品質保証側から非品質保証側への呼接続処理の流れを示すフローチャート。
【図１７】実施の形態１における呼確立時の管理テーブルを示す図。
【図１８】実施の形態２における管理テーブルを示す図。
【図１９】実施の形態３における管理テーブルを示す図。
【図２０】実施の形態３における管理テーブルを示す図。
【図２１】実施の形態４における管理テーブルを示す図。
【図２２】実施の形態４における管理テーブルを示す図。
【図２３】実施の形態５における管理テーブルを示す図。
【図２４】実施の形態５における管理テーブルを示す図。
【図２５】実施の形態５における管理テーブルを示す図。
【図２６】実施の形態５における管理テーブルを示す図。
【図２７】実施の形態６における管理テーブルの設定／取得を示す図。
【図２８】実施の形態７における中継装置１００の機能を示す図。
【符号の説明】
【０１２３】
１００  中継装置、１１０  品質保証側呼制御部、１２０  対応処理部、１２１  通信部、１２２  テーブル操作部、１２９  テーブル記憶部、１３０  非品質保証側呼制御部、１４０  音声パケット送受信制御部、２１０，２２０，２３０，２４０  無線ＩＰ電話機、３１０  ルータ、３２０  アクセスポイント、４１０  プロバイダサーバ、４２０  ＩＰ電話事業者サーバ、４３０  ゲートウェイ、４４０  交換機、４５０  ＩＰアダプタ、５１０  一般電話機、５２０  ＩＰ電話機、６１０  電話番号管理装置、６２０  製造番号管理装置、７１０  ＩＰネットワーク、７２０  公衆回線網、９０１  ＣＰＵ、９０２  メモリ、９０３  補助記憶装置、９０４  ＬＡＮ  Ｉ／Ｆ、９０５  コーデック、９０６  バス。
【図１】
2006270546.tif 000003
【図２】
2006270546.tif 000004
【図３】
2006270546.tif 000005
【図４】
2006270546.tif 000006
【図５】
2006270546.tif 000007
【図６】
2006270546.tif 000008
【図７】
2006270546.tif 000009
【図８】
2006270546.tif 000010
【図９】
2006270546.tif 000011
【図１０】
2006270546.tif 000012
【図１１】
2006270546.tif 000013
【図１２】
2006270546.tif 000014
【図１３】
2006270546.tif 000015
【図１４】
2006270546.tif 000016
【図１５】
2006270546.tif 000017
【図１６】
2006270546.tif 000018
【図１７】
2006270546.tif 000019
【図１８】
2006270546.tif 000020
【図１９】
2006270546.tif 000021
【図２０】
2006270546.tif 000022
【図２１】
2006270546.tif 000023
【図２２】
2006270546.tif 000024
【図２３】
2006270546.tif 000025
【図２４】
2006270546.tif 000026
【図２５】
2006270546.tif 000027
【図２６】
2006270546.tif 000028
【図２７】
2006270546.tif 000029
【図２８】
2006270546.tif 000030